(57)【要約】【課題】人差し指１本でスピーディーに操作できると共に、小型で持ち運びに便利なパソコン用マウスを提供する。【解決手段】水平方向に回転する円盤状又は環状のスクロール板３０によりスクロール機能が行なわれる。このスクロール板３０は、周辺部を押圧することにより押圧部を最低にして傾斜するように形成され、押圧する位置によって所定の機能を割り当てることが可能である。スクロール板３０の中央に、左クリックボタン１０が設けられている。【選択図】図１
0003124043.tif 000002
【実用新案登録請求の範囲】
【請求項１】
左クリック機能、右クリック機能及びスクロール機能を備えたパソコン用マウスであって、
水平方向に回転する円盤状又は環状のスクロール板を備え、該スクロール板により前記スクロール機能が行なわれることを特徴とするパソコン用マウス。
【請求項２】
前記スクロール板の中央に、左クリックボタンが設けられていることを特徴とする請求項１に記載のパソコン用マウス。
【請求項３】
前記スクロール板が、周辺部を押圧することにより、押圧部を最低にして傾斜するように形成され、押圧する位置によって所定の機能を割り当てることが可能であることを特徴とする請求項１又は２に記載のパソコン用マウス。
【請求項４】
前記マウスの上面に段差が設けられ、前記マウスの前方部上面が後方部上面よりも低位置に形成され、前記スクロール板が前方部に設けられ、右クリックボタンが該段差部に設けられていることを特徴とする請求項１乃至３の何れかに記載のパソコン用マウス。
【請求項５】
前記スクロール板、前記左クリックボタン及び前記右クリックボタンが、１本の指で操作可能に配置されていることを特徴とする請求項１乃至４の何れかに記載のパソコン用マウス。
【請求項６】
操作時に親指を載せることができる親指ホルダーを備えていることを特徴とする請求項１乃至５の何れかに記載のパソコン用マウス。
【請求項７】
前記前方部が、前記後方部の内部に収納可能であることを特徴とする請求項１乃至６の何れかに記載のパソコン用マウス。
【考案の詳細な説明】
【技術分野】
【０００１】
本考案は、パソコン用マウスに関し、特に、小型で携帯に便利であると共に、簡単で素早い操作ができるパソコン用マウスに関する。
【背景技術】
【０００２】
パソコン用マウスは、パソコンの画面に表示されるマウスポインターを移動させるポインター機能、左ボタンから指令を発する左クリック機能、右ボタンから指令を発する右クリック機能、中央のホイールから指令を発するスクロール機能等を備えている。
【０００３】
ポインター機能は、平面上でマウスを移動させることにより、画面上のマウスポインターに同様の移動を指令するようになっている。そして、マウスの移動を検知する方法によって、ボールの回転を読み取ることにより検知するメカニカルマウス、発光ダイオードの発光器と受光器を備えて画像の変化を検知する光学式マウス、或いは光源としてレーザー光線を用いるレーザーマウス等がある。
【０００４】
クリック機能及びスクロール機能については、特許文献１等に記載されているように、左右のボタン及び中央のホイールで指令するものが一般的である。すなわち、図９に示すように、パソコン用マウス１０１は、通常のクリックやドラッグを行う左ボタン１１０と、ショートカットメニュー等に用いる右ボタン１２０が左右に並べて配置されている。そして、画面のスクロールに使用するホイール１３０が両ボタンの中間に配置されている。
【０００５】
しかしながら、従来のパソコン用マウス１０１は形が大きすぎるという問題がある。特に、左ボタン１１０と右ボタン１２０を横に並べて、人差し指と中指で操作するために、横幅が大きくなってしまう。そして、ノート型パソコンで使用する場合には、持ち運びが非常に不便である。
また、スクロール機能は、スクロール量がホイール１３０の回転に比例するので、ページ数が多い場合には、指の運動量が非常に多くなるという問題がある。
さらに、右クリック機能は、中指を使用して行うので、操作に熟練を要するという問題がある。また、大きなマウスを掴んで押さえながら移動するために、疲れやすいという問題がある。
【特許文献１】特開２００１−１５４８００号公報
【考案の開示】
【考案が解決しようとする課題】
【０００６】
そこで、本考案の目的とするところは、小型化したパソコン用マウスを提供することである。そして、ノート型パソコンで使用する場合に、持ち運びが便利なパソコン用マウスを提供することである。また、スクロールが簡単で、ページ数が多い場合でも、指の運動量が少ないパソコン用マウスを提供することである。さらに、操作に熟練を要しないパソコン用マウスを提供することである。また、移動が楽で疲れないパソコン用マウスを提供することである。
【課題を解決するための手段】
【０００７】
上記の課題を解決するために、本考案の請求項１に係るパソコン用マウスは、左クリック機能、右クリック機能及びスクロール機能を備えたパソコン用マウスであって、水平方向に回転する円盤状又は環状のスクロール板を備え、該スクロール板により前記スクロール機能が行なわれる手段を採用している。また、本考案の請求項２に係るパソコン用マウスは、請求項１に記載のパソコン用マウスにおいて、前記スクロール板の中央に、左クリックボタンが設けられている手段を採用している。
【０００８】
また、本考案の請求項３に係るパソコン用マウスは、請求項１又は２に記載のパソコン用マウスにおいて、前記スクロール板が、周辺部を押圧することにより、押圧部を最低にして傾斜するように形成され、押圧する位置によって所定の機能を割り当てることが可能である手段を採用している。また、本考案の請求項４に係るパソコン用マウスは、請求項１乃至３の何れかに記載のパソコン用マウスにおいて、前記マウスの上面に段差が設けられ、前記マウスの前方部上面が後方部上面よりも低位置に形成され、前記スクロール板が前方部に設けられ、前記右クリックボタンが該段差部に設けられている手段を採用している。また、請求項５に記載のパソコン用マウスは、請求項１乃至４の何れかに記載のパソコン用マウスにおいて、前記スクロール板、前記左クリックボタン及び前記右クリックボタンが、１本の指で操作可能に配置されている手段を採用している。また、請求項６に記載のパソコン用マウスは、請求項１乃至５の何れかに記載のパソコン用マウスにおいて、操作時に親指を載せることができる親指ホルダーを備えている手段を採用している。また、請求項７に記載のパソコン用マウスは、請求項１乃至６の何れかに記載のパソコン用マウスにおいて、前記前方部が、前記後方部の内部に収納可能である手段を採用している。
【考案の効果】
【０００９】
本考案のパソコン用マウスは、上記の手段を採用したことにより、全ての操作を１本の指（人差し指のみ）で行うことを可能としたものである。したがって、小型化が可能であり、ノート型パソコンで使用する場合に、持ち運びが便利なパソコン用マウスを提供することができる。また、水平方向に回転するスクロール板には、高速スクロール等の機能を割り当てることができるので、指の運動量が少ないパソコン用マウスを提供することができる。さらに、中指を使用しないので、操作に熟練を要しないパソコン用マウスを提供することができる。また、親指ホルダーを備えることにより移動が楽で、疲れないパソコン用マウスを提供することができる。
【考案を実施するための最良の形態】
【００１０】
本考案のパソコン用マウスは、実施の一例を図１及び図２に示すように、従来よりも小型に形成されると共に、左クリック機能、右クリック機能及びスクロール機能を人差し指１本で操作できるように形成されている。図１は概略平面図、図２は概略側面図である。
【００１１】
本考案のパソコン用マウス１の特徴は、水平方向に回転する円盤状又は環状のスクロール板３０を備えており、このスクロール板３０によってスクロール機能が行なわれることである。マウス１の上面には段差部５０が設けられ、前方部上面５１が後方部上面５２よりも低位となっている。そして、スクロール板３０は前方部上面５１に設けられている。このような配置により、使用者はパソコン用マウス１の後方部上面５２を握った状態で、スクロール板３０を左右何れかの向きに回転することにより、画面のアップダウンを行うことができる。
【００１２】
通常のクリックやドラッグを行う左クリックボタン１０は、スクロール板３０の中央に設けることが好ましい。すなわち、スクロール板３０が円盤状である場合には、中央部の押圧で作動するボタン機能を設け、スクロール板３０の中央部が左クリックボタン１０を兼ねることとする。また、スクロール板３０が環状である場合には、その中央部に左クリックボタン１０を独立して設ける。これによって、使用頻度の最も多い左クリックボタン１０が最優先となる配置を実現させることができる。
【００１３】
スクロール板３０は、周辺部を押圧することにより、押圧部を最低にして傾斜するように形成されることが好ましい。このような形態とすることにより、押圧する位置に所定の機能を割り当てることが可能となる。例えば、通常のスクロールとは違った高速スクロール機能や、左右方向へのスクロール機能等を付加することが可能となる。高速スクロールの機能を持たせることにより、指の運動量が大幅に低減されることになる。
【００１４】
スクロール板３０が円盤状である場合を図３に示す。図３（イ）に示す矢印の方向に回転することにより画面のスクロールを行うことができる。例えば、右回りでスクロールアップ、左回りでスクロールダウンとする。また、図３（ロ）に示すように、中心部を押圧することにより垂下する左クリックボタン１０の機能を持たせる。さらに、図３（ハ）に示すように、周辺部のａ〜ｄを押圧することにより傾斜し、ａでは高速スクロールアップ、ｂでは高速スクロールダウン、ｃでは左スクロール、ｄでは右スクロール等のようにして、種々の機能を持たせることができる。
【００１５】
スクロール板３０が環状である場合を図４に示す。図４（イ）に示す矢印の方向に回転することにより画面のスクロールを行うことができる。例えば、右回りでスクロールアップ、左回りでスクロールダウンとする。また、図４（ロ）に示すように、中心部に左クリックボタン１０が設けられている。さらに、図４（ハ）に示すように、周辺部のａ〜ｄを押圧することにより傾斜し、ａでは高速スクロールアップ、ｂでは高速スクロールダウン、ｃでは左スクロール、ｄでは右スクロール等のようにして、種々の機能を持たせることができる。
【００１６】
ショートカットメニュー等に用いる右クリックボタン２０は、段差部５０に設けることが好ましい。段差部５０に配置することにより、人差し指で操作することができる。したがって、左クリック機能、右クリック機能及びスクロール機能を人差し指１本で操作できることになる。また、中指を用いない操作であるために、操作に熟練を必要としないことになる。
【００１７】
図５又は図６に示すように、本考案のパソコン用マウス１には、親指ホルダー６０を備えることが好ましい。すなわち、図７に示すように、親指ホルダー６０に親指を載せて操作することにより、力を抜いた状態で操作することができるので、マウス１の移動が楽になり、疲れないで操作することができる。
【００１８】
親指ホルダー６０は、不使用時に、マウス本体にコンパクトに収納できることが好ましい。すなわち、図５に示すものは、不使用時には押し込んでコンパクトに収納し、使用時に引出して使用することができる。また、図６に示すものは、不使用時にはマウスの上面を覆うようにして収納し、使用時に回転して使用することができる。
【００１９】
また、図８に示すように、本考案のパソコン用マウス１は、前方部５３が後方部５４の内部に収納可能であることが好ましい。さらに、通常前方部５３に接続されているコード７０は、図８（ａ）に示すように、差込口５５で着脱自在とすることが好ましい。すなわち、前方部５３を後方部５４の内部に収納すると共に、コード７０を取り外すことにより、図８（ｂ）に示すように、一層コンパクトなパソコン用マウス１とすることができる。なお、前方部５３を後方部５４に収納する方法としては、図８に示すようなスライド式の他、折りたたみ式とすることも可能である。
【００２０】
本考案のパソコン用マウスは、左右のクリック機能、スクロール機能及びその形状等に特徴を備えるものであり、その他の構成要素については従来の技術を用いることができる。例えば、ポインター機能は、従来のメカニカルマウス、光学式マウス及びレーザーマウス等を用いることができる。また、パソコン本体との接続には、ケーブルを使用するものの他、赤外線を使用したワイヤレスマウスとすることもできる。
【００２１】
本考案のパソコン用マウスは小型とすることができるため、ノート型パソコンで使用する場合に、持ち運びが便利なパソコン用マウスとすることができる。例えば、パソコンの本体に挿入部を形成して、そこにマウスを挿入した状態で持ち運ぶようにすることもできる。
【図面の簡単な説明】
【００２２】
【図１】本考案のパソコン用マウスの一例を示す概略平面図である。
【図２】図１に示すパソコン用マウスの概略側面図である。
【図３】スクロール板が円盤状である場合の説明図である。
【図４】スクロール板が環状である場合の説明図である。
【図５】引出し式の親指ホルダーを備えた本考案のパソコン用マウスの一例を示す概略斜視図である。
【図６】回転式の親指ホルダーを備えた本考案のパソコン用マウスの一例を示す概略斜視図である。
【図７】図５又は図６に示すパソコン用マウスの操作状態を示す概略図である。
【図８】前方部を後方部の内部に収納可能とした本考案のパソコン用マウスの一例を示す概略斜視図である。
【図９】従来のパソコン用マウスを示す概略平面図である。
【符号の説明】
【００２３】
１、１０１    パソコン用マウス
１０    左クリックボタン
２０    右クリックボタン
３０    スクロール板
５０    段差部
５１    前方部上面
５２    後方部上面
５３    前方部
５４    後方部
５５    差込口
６０    親指ホルダー
７０    コード
１１０  左ボタン
１２０  右ボタン
１３０  ホイール
【図１】
0003124043.tif 000003
【図２】
0003124043.tif 000004
【図３】
0003124043.tif 000005
【図４】
0003124043.tif 000006
【図５】
0003124043.tif 000007
【図６】
0003124043.tif 000008
【図７】
0003124043.tif 000009
【図８】
0003124043.tif 000010
【図９】
0003124043.tif 000011